(57)【特許請求の範囲】
【請求項１】
処理装置から排出された用紙を積み重ねて集積する用紙スタッカ装置であって、
前記処理装置から排出された用紙を、先に排出された用紙が上に位置するように順に階段状に重ね合わせ、用紙群に区分けした状態で搬送する第一搬送テーブルと、
前記第一搬送テーブル上を搬送されてきた用紙群が載置され、該用紙群を搬送する第二搬送テーブルと、
前記第二搬送テーブルの後段側に搬送経路に突出入可能に設けられた第１のストッパと、
前記第一搬送テーブルの搬送速度と前記第二搬送テーブルの搬送速度とを独立して制御し、前記第一搬送テーブル上を搬送されてきた用紙群を構成する全ての用紙が前記第二搬送テーブル上に載置された後に、前記第二搬送テーブル上に載置された用紙が前記第１のストッパによって前記第二搬送テーブル上で積み重ねられるように前記第二搬送テーブルにおける搬送速度を高速にし、前記第二搬送テーブル上で前記用紙の積み重ねが終了した後に、前記第１のストッパを引き込むとともに、前記第二搬送テーブルにおける搬送速度を基準速度とする制御手段とを有する用紙スタッカ装置。
【請求項２】
請求項１に記載の用紙スタッカ装置において、
前記第１のストッパは、前記第二搬送テーブルに載置された用紙が積み重ねられる際に該用紙の搬送方向下流側に傾斜して突出することを特徴とする用紙スタッカ装置。
【請求項３】
請求項１または請求項２に記載の用紙スタッカ装置において、
前記第一搬送テーブルの後段側に搬送経路に突入出可能に設けられた第２のストッパを有し、
前記制御手段は、前記第一搬送テーブル上にて所定枚数の用紙が重ね合わされた場合に、前記第一搬送テーブルの搬送速度を上昇させるとともに、前記第２のストッパを前記第一搬送テーブルの搬送経路に突出させることを特徴とする用紙スタッカ装置。
【発明の詳細な説明】
【０００１】
【産業上の利用分野】
本発明は、用紙処理装置等の排出側に取り付けられ、単片状態で排出される用紙を所定枚数毎に積み重ねる用紙スタッカ装置に関する。
【０００２】
【従来の技術】
従来のこの種スタッカ装置としては、特公平６−４５４１９号公報に記載された区分け装置が知られている。この区分け装置は、上流側コンベヤの支持ロール上に降下可能な上流側押圧材と、この上流側押圧材からほぼ単片用祇の一単位長さに相当する距離だけ下流における下流側コンベヤ上に降下可能な下流側押圧材とを有し、カウンタによって計数された所定番目の単片用紙が前記支持ロ一ルを通過したときに、前記両押圧材を一斉に降下させて、単片用紙の列を区分けするよう構成したものである。
【０００３】
また、上記におけるスタッカ装置は、処理した用紙の処理順に、若い順番の用紙が下になって重ねられる。このため垂直に積重ねした場合は、再度処理したり、配布するとき等は順番が逆になってしまい、処理の都合上大変不便なものとなっていた。本発明者は、このような不都合を解消するために図８に示すような連続用紙の処理装置を採用することを試みた。この処理装置は、用紙切断装置２と用紙集積装置３とを備えている。前記切断装置２は、あらかじめ所定のデータが一定の順番にしたがって印刷された連続用紙２０をガイドするガイド板４と、供給ローラ５と、連続用紙２０のマージナル部２１を切断除去するスリッタ６を備えるとともにマージナル孔２２を利用して連続用紙２０を移送するトラクタ７と、ガイドローラ８と、各切り用ミシン目２３で連続用紙２０を切断して単位用紙２０ａとするカッタ９と、ガイドローラ１０と排出ローラ１１とを有している。
【０００４】
また、用紙集積装置３は、用紙切断装置２から排出された単位用紙２０ａを、導入ベルト１２に導入して順次堆積し、さらに集積ベルト１３で所定方向に移送して集積するものである。そして導入ベルト１２の用紙載置面は、排出ローラ１１より下位に位置しており、排出ローラ１１から用紙が順次排出される際、先に供給された単片用紙が上に位置するように順に階段状に重ねられるよう構成されている。
【０００５】
【発明が解決しようとする課題】
ところが、これら従来の装置にあっては、単片用紙の列を区分はできるものの区分けした複数の単片用紙を垂直に積み重ねることはできなかった。本発明はこのような問題点を解消した用紙スタッカ装置を提供するものであり、区分けされた単片用紙を簡単な構造で積み重ねる用紙スタッカ装置を提供することを目的とする。
【０００６】
【課題を解決するための手段】
上述した目的を達成するために本発明の用紙スタッカ装置は、
処理装置から排出された用紙を積み重ねて集積する用紙スタッカ装置であって、
前記処理装置から排出された用紙を、先に排出された用紙が上に位置するように順に階段状に重ね合わせ、用紙群に区分けした状態で搬送する第一搬送テーブルと、
前記第一搬送テーブル上を搬送されてきた用紙群が載置され、該用紙群を搬送する第二搬送テーブルと、
前記第二搬送テーブルの後段側に搬送経路に突出入可能に設けられた第１のストッパと、
前記第一搬送テーブルの搬送速度と前記第二搬送テーブルの搬送速度とを独立して制御し、前記第一搬送テーブル上を搬送されてきた用紙群を構成する全ての用紙が前記第二搬送テーブル上に載置された後に、前記第二搬送テーブル上に載置された用紙が前記第１のストッパによって前記第二搬送テーブル上で積み重ねられるように前記第二搬送テーブルにおける搬送速度を高速にし、前記第二搬送テーブル上で前記用紙の積み重ねが終了した後に、前記第１のストッパを引き込むとともに、前記第二搬送テーブルにおける搬送速度を基準速度とする制御手段とを有する。
【０００７】
【作用】
搬送テーブル上に単片用紙を順次供給し、先に供給された単片用紙が上に位置するように順に階段状に重ねて所望単位毎に供給することを前提にして、搬送テーブル上で搬送される用紙の前方側でストッパを突出させ前記搬送テーブルの移送速度を高速に切り替えることにより用紙を積み重ねることができるものである。
【０００８】
【実施例】
以下、本発明の好適な一実施例を添付図面に基づき詳細に説明する。ここにおいて、図１は用紙スタッカ装置とその制御系統を示す概略的な側面図、図２〜図３は搬送手段たる搬送テーブルの動作を脱明する概略的な側面図、図４はその制御動作を示すタイムチャートである。また、図５〜図７は第一〜第三搬送テーブルの駆動状態のフロー図である。
【０００９】
図１に示すように、用紙スタッカ装置１は、例えば、図８に示したような連続用紙の処理装置の排出ローラ１１から排出される用紙をカウントする用紙カウンタ２６、および前記排出ローラ１１の排出口より少し高めの載置面を有する第一搬送テーブル２１、さらにこの第一搬送テーブル２１の後段には、第二搬送テーブル２２、第三搬送テーブル２３が順次設けられている。これら第一搬送テーブル２１、第二搬送テーブル２２、第三搬送テーブル２３は互いに重ね移動される用紙を順次受け渡して行くためにコンベアベルトが交互に入り組んだ状態に構成される。また搬送速度は、制御部４１が各第一搬送テーブル２１、第二搬送テーブル２２、第三搬送テーブル２３を独立してコントロールできるようにそれぞれコントローラ２７、２８、２９を介して別個に制御される。また、第一搬送テーブル２１と第二搬送テーブル２２のそれぞれ後段側には、搬送経路に突出入可能な第２のストッパー２４と第１のストッパー２５とが設けられ制御部４１がそれぞれ別個にコントロールできるようにコントローラ３１、３２を介して制御される。
【００１０】
３３は、用紙の区分け枚数（積み重ね束の枚数）を設定する入力部、および３４は、入力データや制御プログラムが記憶される記憶部である
【００１１】
次に、図２〜図４に基づいて、処理された用紙の区分け状態、積み重ねされる状態を説明する。例えば区分け積み重ね枚数を１０枚に設定した場合について説明すると、まず処理が開始されると第一搬送テーブル２１、第二搬送テーブル２２は、搬送速度を基準速度で駆動される（図５のステップ１１１と、図６のステップ１２１）。さらに単片用紙２０ａは、排出ローラ１１から順次供給され第一搬送テーブル２１に、先に供給された単片用紙２０ａが上に位置するように順に階段状に重ねられる。（図２のＡ、Ｂ）この状態で用紙カウンタ２６が用紙１０枚をカウントするとストッパ２４が駆動し、第一搬送テーブル２１上に突出するとともに第一搬送テーブル２１の搬送速度が中速になり（図２のＣ、図５のステップ１１２から１１３、１１４）排出ローラ１１から順次供給される用紙の間に隙間ができて区分けされる。
【００１２】
第一搬送テーブル２１上で区分けが終了すると第一搬送テーブル２１のストッパ２４が引き込み、搬送速度が基準速度になるとともに、処理が終了しなければ順次、一搬送テーブル２１に排出ローラ１１から次の区分け用紙が順次供給される（図２のＤ、図５のステップ１１５からステップ１１６そして１１７から１１２へ）。
【００１３】
一方、第二搬送テーブル２２は、第一搬送テーブル２１上で区分けが終了した後に、さらに区分けされた用紙群がすべて第二搬送テーブル２２に載置完了した後にストッパ２５を突出させるとともに第二搬送テーブル２２の搬送速度を高速にする（図２のＥ、図６のステップ１２３から１２４、１２５）。
【００１４】
第二搬送テーブル２２上で積重ねが終了すると第二搬送テーブル２２のストッパ２５が引き込み、搬送速度が基準速度になるとともに、処理が終了しなければ第一搬送テーブル２１から次の区分け用紙群が順次供給される（図６のステップ１２６から１２７、そして１２８から１２２へ）。
【００１５】
さらに、第三搬送テーブル２３では、第二搬送テーブル２２上で積重ねがされると、停止していたテーブルを基準速度に駆動し、積重ね用紙を第二搬送テーブル２２から第三搬送テーブル２３引き受け載置が完了すると停止する（図３のＦ〜Ｈ、図７のステップ１０１から１０４）。そして、処理が終了しなければステップ１０５から１０１へもどる。
【００１６】
上記において、第二搬送テーブル２２上でストッパ２５を突出させるとき、用紙を積み上げるとき左側に少し傾斜させている。これは、第二搬送テーブル２２の搬送速度を高速にしたとき用紙が積み上げられやすくしているものである。積み上げ後は、用紙が垂直になるように、このストッパ２５は垂直になって突き当てられる。
【００１７】
なお、本発明は、上述した実施例に限らず、例えば、搬送テーブル上に単片用紙を順次供給し、先に供給された単片用紙が上に位置するように順に階段状に重ねて所望単位毎に供給する手段における所望単位毎に供給する方法として、第一搬送テーブル２１の移送速度を可変にして実現したが、用紙処理装置の供給を断続的に供給できるよう制御するようにしてもよい。
【００１８】
【発明の効果】
以上説明したところで明らかなように、本発明によれば、先に供給された単片用紙が上に位置するように順に階段状に重ねて所望単位毎に供給することを前提にして、搬送テーブル上で搬送される用紙の前方側でストッパを突出させ前記搬送テーブルの移送速度を高速に切り替えることにより、容易に用紙を垂直に積み重ねることができるものであり、用紙の処理順も処理した順に上から積み重ねられ、次の処理の繁雑さがなくなり、産業上極めて有益なものとなる等の効果を奏する。
【図面の簡単な説明】
【図１】用紙スタッカ装置とその制御系統を示す概略的な側面図
【図２】搬送手段たる搬送テーブルの初期動作を脱明する概略的な側面図。
【図３】搬送手段たる搬送テーブルの動作を脱明する概略的な側面図。
【図４】搬送手段たる搬送テーブル等の制御動作を示すタイムチャート
【図５】第一搬送テーブルを中心とする駆動状態のフロー図
【図６】第二搬送テーブルを中心とする駆動状態のフロー図
【図７】第三搬送テーブルを中心とする駆動状態のフロー図
【図８】連続用紙の処理装置の側面説明図
【符号の説明】
１      用紙スタッカ装置
１１    排出ローラ
２１    第一搬送テーブル
２２    第二搬送テーブル
２３    第二搬送テーブル
２４    ストッパー
２５    ストッパー
２７    コントローラ
２８    コントローラ
２９    コントローラ
３１    コントローラ
３２    コントローラ
【図１】
0003665107.tif 000002
【図２】
0003665107.tif 000003
【図３】
0003665107.tif 000004
【図４】
0003665107.tif 000005
【図５】
0003665107.tif 000006
【図６】
0003665107.tif 000007
【図７】
0003665107.tif 000008
【図８】
0003665107.tif 000009